(57)【要約】【課題】入域処理において作業者は個人線量測定器を借用返却管理装置から抜き取るだけ、退域処理において作業者は個人線量測定器を借用返却管理装置に差し込み実績印字に作業者コードを記入するだけで操作が完了する線量管理システムを提供する。【解決手段】作業者の被ばく線量値と作業時間を計測する個人線量即的２０と、前記個人線量測定器２０の作業者への借用及び返却と入退域データの出力を行う借用返却管理装置５０と、前記借用返却管理装置と接続され作業者の被ばく線量値と作業時間を管理する作業者管理計算機６０とから構成される線量管理システムであって、入域処理では、作業者３０は前記個人線量測定器２０を前記借用返却管理装置５０から抜き取る作業だけを行う。退域処理では、作業者３０は前記個人線量測定器２０を前記借用返却管理装置５０に戻す作業と実績印字に作業者コードを記入する作業を行う。【選択図】  図１
2004347444.tif 000002
【特許請求の範囲】
【請求項１】
作業者の被ばく線量値と作業時間を計測する個人線量測定器と、前記個人線量測定器の作業者の借用及び返却と入退域データの出力とを行う借用返却管理装置と、作業者の被ばく線量値と作業時間を管理する作業者管理計算機とから構成される線量管理方法であって、
前記個人線量測定器は前記借用返却管理装置から抜き取られたことを検出したとき被ばく線量値と作業時間を初期化するとともに被ばく線量値と作業時間の計測を開始するステップと、
前記個人線量測定器は前記借用返却管理装置に差し込まれたことを検出したとき被ばく線量値と作業時間の計測を停止するステップと、前記個人線量測定器は個人線量測定器を識別するための個人線量測定器識別コードと被ばく線量値と作業時間の計測結果とを  前記借用返却管理装置に送信するステップと、
前記借用返却管理装置は前記個人線量測定器から個人線量測定器識別コードと被ばく線量値と作業時間の計測結果を受信したとき入退域データを生成するステップと、
前記借用返却管理装置は前記入退域データを出力装置に出力するステップと、前記借用返却管理装置は前記入退域データを前記作業者管理計算機に送信するステップとを有することを特徴とする線量管理方法。
【請求項２】
借用返却管理装置は、入退域データの退域日付時刻を作業者が個人線量測定器を前記借用返却管理装置に差し込んだときとすることを特徴とする請求項１に記載の線量管理方法。
【請求項３】
借用返却管理装置は、入退域データの入域日付時刻を退域日付時刻と個人線量測定器の作業時間の計測結果とから算出することを特徴とする請求項１に記載の線量管理方法。
【請求項４】
借用返却管理装置の出力装置は、入退域データを印字するための印字装置であり、入退域データは少なくとも個人線量測定器識別コードと被ばく線量値と作業時間の計測結果と入域日付時刻と退域日付時刻と作業者を一意に識別するための作業者コードを記入するための作業者コード記入欄を含むことを特徴とする請求項１に記載の線量管理システム。
【発明の詳細な説明】
【０００１】
【発明の属する技術分野】
本発明は、原子力関連の研究施設や病院など、比較的小規模の放射線管理区域内において作業する作業者の放射線被ばく線量値と作業時間とを管理する線量管理システムに関する。
【０００２】
【従来の技術】
原子力発電所、原子力関連の研究施設並びに病院などに設けられる放射線管理区域内で作業を行う作業者（以下、作業者という）は、放射線管理区域内において被った放射線被ばく線量値（以下、被ばく線量値という）並びに放射線管理区域内に滞在した時間（以下、作業時間という）を管理し、管理基準値を超えない範囲内において作業することが義務づけられている。
【０００３】
以下従来の、原子力発電所など１０００人規模の作業者を管理する線量管理システムについて説明する。
【０００４】
線量管理システム１０１は、図１１に示すように作業者の被ばく線量値と作業時間を管理する放射線管理用計算機１０２と、作業者１０３が放射線管理区域内１０４に入域するとき及び放射線管理区域内１０４から退域するときに作業者１０３の進行を制御する入退域管理装置１０５と、作業者１０３の被ばく線量値と作業時間を計測しこれらのうち一つでも予め設定されている警報設定値を超えた場合は警報音・警報表示を出力し作業者１０３に警報発生を通知する個人線量測定器１０６と、作業者１０３への個人線量測定器１０６の借用と返却を行う借用返却管理装置１０７とから構成される。なお、入退域管理装置１０５と借用返却管理装置１０７は、放射線管理区域の出入口に設置される。
【０００５】
図１２は、入退域管理装置１０５のブロック図である。入退域管理装置１０５には、入退域管理装置１０５全体を制御するＣＰＵ１０５ｅと、個人線量測定器１０６の読み取り及び書き込みを行う読込書込部１０５ａと、操作メッセージ及び被ばく線量値と作業時間などを表示する表示部１０５ｂと、ＩＤカード１０８を読み取るＩＤカード読取部１０５ｃと、作業番号を入力する操作部１０５ｄと、制御プログラムや入退域処理に必要なデータを記憶するメモリ１０５ｆと、放射線管理用計算機１０２との通信を行う外部通信部１０５ｇと、作業者の被ばく線量値と作業時間などを印字する印字部１０５ｈとが具備されている。
【０００６】
作業者１０３は、放射線管理区域内１０４に入域するとき及び放射線管理区域内１０４から退域するときは必ず入退域管理装置１０５を通過することと、放射線管理区域内１０４に滞在している間は常に個人線量測定器１０６を携帯することが義務付けられている。
【０００７】
最初に作業者１０３が放射線管理区域内１０４に入域するときの手順（以下、入域処理という）を説明する。なお、作業者１０３は予め放射線管理用計算機１０２に作業者１０３として登録されており、作業者１０３を一意に識別するための作業者コードが付与されており、前記作業者コードを記憶したＩＤカード１０８を所有しているものとする。
【０００８】
作業者１０３は、借用返却管理装置１０７から個人線量測定器１０６を取り、ＩＤカード１０８と個人線量測定器１０６を持って、入退域管理装置１０５を操作する。
【０００９】
作業者１０３は、入退域管理装置１０５のＩＤカード読取部１０５ｃにおいてＩＤカード１０８を読み取らせ、個人線量測定器１０６を読込書込部１０５ａにセットする。
【００１０】
入退域管理装置１０５は、作業者１０３が読み取らせたＩＤカード１０８の作業者コードを外部通信部１０５ｇを介して放射線管理用計算機１０２に送信する。
【００１１】
放射線管理用計算機１０２は、入退域管理装置１０５から作業者コードを受信すると当該作業者１０３を特定し、当該作業者１０３が既に被った被ばく線量値と作業時間を獲得しそれぞれの許容値のうちの最小値から既に被った分を差し引くことで放射線管理区域内１０４に入域することの可否と可の場合に個人線量測定器１０６に設定する警報設定値を入退域管理装置１０５に送信する。警報設定値が零又はマイナス値となった場合、放射線管理区域内１０４に入域することは不可となる。
【００１２】
入域可の場合、放射線管理用計算機１０２は、入域処理を行った時刻を当該作業者１０３の入域日付時刻として記憶する。
【００１３】
入退域管理装置１０５は、放射線管理用計算機１０２から放射線管理区域内１０４に入域することの可否と可の場合に個人線量測定器１０６に設定する警報設定値を外部通信部１０５ｇを介して受信する。入域可の場合、入退域管理装置１０５は個人線量測定器１０６のデータをリセットしたあと受信した警報設定値を設定し、作業者１０３が放射線管理区域１０４に入域することを許可する。入域不可の場合、入退域管理装置１０５は入域不可であることを示すメッセージなどを表示部１０５ｂに出力し作業者１０３が放射線管理区域内１０４に入域することを拒否する。
【００１４】
作業者１０３が、放射線管理区域内１０４に入域すると、個人線量測定器１０６は被ばく線量値と作業時間を測定し、被ばく線量値又は作業時間がそれぞれの警報設定値を超過した場合、警報音・警報表示を出力し作業者１０３に警報発生を通知する。作業者１０３は、個人線量測定器１０６の警報音・警報表示により、警報状態を認識し、放射線管理区域内１０４から退域する。
【００１５】
次に、作業者１０３が放射線管理区域内１０４から退域するときの手順（以下、退域処理という）を説明する。
【００１６】
作業者１０３は、ＩＤカード１０８と個人線量測定器１０６を持って、入退域管理装置１０５を操作する。
【００１７】
作業者１０３は、入退域管理装置１０５のＩＤカード読取部１０５ｃにおいてＩＤカード１０８を読み取らせ、個人線量測定器１０６を読取書込部１０５ａにセットする。
【００１８】
入退域管理装置１０５は、作業者１０３が読み取らせたＩＤカード１０８の作業者コードと個人線量測定器１０６が計測した被ばく線量値を外部通信部１０５ｇを介して放射線管理用計算機１０２に送信する。
【００１９】
放射線管理用計算機１０２は、入退域管理装置１０５から作業者コードと被ばく線量値を受信すると当該作業者１０３を特定し、当該作業者１０３が既に被った被ばく線量値に今回の被ばく線量値を加算し実績を更新する。
【００２０】
放射線管理用計算機１０２は、退域処理を行った時刻を当該作業者１０３の退域日付時刻として記憶する。放射線管理用計算機１０２は、先の入域処理において記憶した入域日付時刻を獲得し入域日付時刻から退域日付時刻までの時間差を算出することで作業時間を確定する。放射線管理用計算機１０２は、当該作業者１０３が既に被った作業時間に今回の作業時間を加算し実績を更新する。
【００２１】
放射線管理用計算機１０２は、当該作業者１０３が既に被った被ばく線量値と作業時間から放射線管理区域内１０４から退域することの可否と実績を入退域管理装置１０５に送信する。
【００２２】
入退域管理装置１０５は、放射線管理用計算機１０２から放射線管理区域内１０４から退域することの可否と実績を外部通信部１０５ｇを介して受信する。退域可の場合、入退域管理装置１０５は受信した実績を印字部１０５ｈ及び表示部１０５ｂに出力し、作業者１０３が放射線管理区域内１０４から退域することを許可する。退域不可の場合、入退域管理装置１０５は退域不可であることを示すメッセージなどを印字部１０５ｈ及び表示部１０５ｂに出力し作業者１０３が照射線管理区域内１０４から退域することを拒否する。
【００２３】
図１３は、入退域管理装置１０５の印字部１０５ｈが出力する実績印字の一実施例である。作業者コードは、入域処理及び退域処理を行った作業者１０３を一意に識別するためのコードであり放射線管理用計算機１０２に登録されている。作業者氏名は、作業者１０３の氏名であり作業者コードに関連づけられて放射線管理用計算機１０２に登録されている。個人線量測定器番号は、個人線量測定器を一意に識別する為のコードである。入域日付時刻は、入域処理を行った日付と時刻である。退域日付時刻は、退域処理を行った日付と時刻である。今回被ばく線量値は、今回の入域処理と退域処理の間に被った被ばく線量値である。今回作業時間は、今回の入域処理と退域処理の間の作業時間である。１日被ばく線量値は、１日の被ばく線量値の合計である。１日作業時間は、１日作業時間の合計である。１ヶ月被ばく線量値は、１ヶ月間の被ばく線量値の合計である。１ヶ月作業時間は、１ヶ月の作業時間の合計である。
【００２４】
作業者１０３は、実績印字を取り借用返却管理装置１０７に個人線量測定器１０６を戻す。
【００２５】
上記に示すように線量管理システム１０１は、大量の作業者の入域処理並びに退域処理を行うことにおいて優位であった。
【００２６】
原子力関連の研究施設や病院など、比較的小規模の放射線管理区域内においては、被ばく線量値が低く管理基準値を超える可能性が低いことから被ばく線量値をフィルムバッジで月単位で１回計測することにより方法が行われている。また、作業時間は管理台帳に入域日付時刻と退域日付時刻を記入し、作業時間を算出する方法が行われている。
【００２７】
小規模かつ簡易型の線量管理システムを構築する方法としては、例えば特許文献１のような技術が公開されている。
【００２８】
特許文献１では、従来の入退域管理装置１０２と放射線管理に用計算機１０２が担っていた機能を借用返却管理装置１０７に集約する方法で小規模かつ簡易型の線量管理システムを構築している。しかし、入域処理及び退域処理における作業者の操作内容は、線量管理システム１０１と同等であり作業者の負担を軽減することはできていない。
【００２９】
【特許文献１】
特開２００２−９８７６６号公報
【００３０】
【発明が解決しようとする課題】
以上のように小規模かつ簡易型の線量管理システムは、従来の大規模システムの思想を継承しており、作業者の負担軽減まで考慮されていないと言う問題があった。
【００３１】
本発明は、上記問題点を考慮してなされたもので、入域処理において作業者は個人線量測定器を借用返却管理装置から抜き取るだけ、退域処理において作業者は個人線量測定器を借用返却管理装置に差し込み実績印字に作業者コードを記入するだけで操作が完了する線量管理システムを提供する。
【００３２】
なお、本発明の線量管理システムを原子力発電所などにおける緊急事態に備えた専用設備として使用することも可能である。
【００３３】
【課題を解決するための手段】
上記目的を達成するため、本発明の請求項１に記載の線量管理システムは、作業者の被ばく線量値と作業時間を計測する個人線量測定器と、前記個人線量測定器の作業者への借用及び返却と入退域データの出力を行う借用返却管理装置と、作業者の被ばく線量値と作業時間を管理する作業管理計算機とから構成される線量管理方法であって、
前記個人線量測定器は前記借用返却管理装置から抜き取られたことを検出したとき被ばく線量値と作業時間を初期化するとともに被ばく線量値と作業時間の計測を開始するステップと、
前記個人線量測定器は前記借用返却管理装置に差し込まれたことを検出したとき被ばく線量値と作業時間の計測を停止するステップと、前記個人線量測定器は個人線量測定器を識別するための個人線量測定器識別コードと被ばく線量値と作業時間の計測結果とを前記借用返却管理装置に送信するステップと、
前記借用返却管理装置は前記個人線量測定器から個人線量測定器識別コードと被ばく線量値と作業時間の計測結果を受信したとき入退域データを生成するステップと、前記借用返却管理装置は前記入退域データを出力装置に出力するステップと、前記借用返却管理装置は前記入退域データを前記作業者管理計算機に送信するステップとを有する。
【００３４】
請求項２に記載の借用返却管理装置は、入退域データの退域日付時刻を作業者が個人線量測定器を前記借用返却管理装置に差し込んだときとする。
【００３５】
請求項３に記載の借用返却管理装置は、入退域データの入域日付時刻を退域日付時刻と個人線量測定器の作業時間の計測結果から入域日付時刻を算出する。
【００３６】
請求項４に記載の借用返却管理装置の出力装置は、入退域データを印字するための印字装置であり、入退域データは少なくとも個人線量測定器識別コードと被ばく線量値と作業時間の計測結果と入域日付時刻と退域日付時刻と作業者を一意に識別するための作業者コードを記入するための作業者コード記入欄を含む。
【００３７】
【発明の実施の形態】
以下、本発明の個人線量測定器と借用返却管理装置と借用返却管理装置計算機からなる線量管理システムの一実施例について説明する。
【００３８】
まず、全体のシステム構成を説明する。図１は、本発明の線量管理システム１０の一構成例である。１０は線量管理システム、２０は個人線量測定器、３０は作業者、４０は作業者３０が作業を行う放射線管理区域、５０は借用返却管理装置、６０は借用返却管理装置計算機である。
【００３９】
図２は、個人線量測定器２０のブロック図である。個人線量測定器２０には、個人線量測定器２０全体を制御するＣＰＵ２１と、放射線を計測する放射線計測部２２と、動作状態及び被ばく線量値と作業時間などを表示する表示部２３と、被ばく線量値又は作業時間が警報設定値を超えた場合に警報音を発生するブザー２４と、借用返却管理装置５０との通信を行う外部通信部２６と、作業時間を計測する時計２８と、制御プログラムや運用モード・作業者コード・警報設定値・入域日付時刻・退域日付時刻・放射線計測部２２で計測した被ばく線量値・時計部２８で計測した作業時間を記憶するメモリ２６と、個人線量測定器２０が借用返却管理装置５０から抜き取られたこと及び借用返却管理装置５０に差し込まれたことを検出する抜取差込検出部２９が具備されている。
【００４０】
図３は、借用返却管理装置５０のブロック図である。借用返却管理装置５０には、個人線量測定器２０と通信する通信部５１と、個人線量測定器２０が借用返却管理装置５０から抜き取られたこと及び借用返却管理装置５０に差し込まれたことを検出する抜取差込検出部５２と、制御プログラムや個人線量測定器２０から読み取った情報を記憶するメモリ５３と、借用返却管理装置計算機６０と通信する外部通信部５４と、作業者３０が個人線量測定器２０を返却したとき実績印字を行う印字部５５と、個人線量測定器２０が「使用可能」「使用不可」「警報設定値＝＊．＊＊ｍＳｖ、＊＊時間＊＊分」であることを表示する表示部５６と、借用返却管理装置５０の日付時刻を管理しＣＰＵ５８の要求に応答して現在日付時刻を出力する時計部５７と、借用返却管理装置５０全体を制御するＣＰＵ５８とが具備されている。
【００４１】
図４は、借用返却管理装置計算機６０のブロック図である。借用返却管理装置計算機６０には、装置状態及びオペレータに対する操作案内メッセージを表示する表示部６１と、借用返却管理装置５０との通信を行う通信部６２と、オペレータが作業者３０の登録作業や借用返却管理装置５０の運用モードを切り替える操作部６３と、制御プログラムや作業者３０の登録情報や被ばく線量値と作業時間の実績値を記憶するメモリ６４と、借用返却管理装置計算機６０全体を制御するＣＰＵ６５が具備されている。
【００４２】
次に線量管理システム１０の運用方法について説明する。
【００４３】
入域処理及び退域処理の前に個人線量測定器２０の警報設定値設定動作について説明する。
【００４４】
従来の線量管理システム１０１では、当該作業者１０３が既に被った被ばく線量値と作業時間を考慮して、放射線管理区域内１０４に入域することの可否と可の場合に個人線量測定器１０６に設定する警報設定値を決定していた。
【００４５】
本発明の線量管理システム１０では、作業者３０が既に被った被ばく線量値と作業時間とは関係なく、借用返却管理装置５０の運用条件に従って設定される。作業者３０自身が、既に被った被ばく線量値と作業時間を考慮して、最適の警報設定値に設定された個人線量測定器２０を選択する方法である。もし、作業者３０が、既に被った被ばく線量値と作業時間を覚えていない場合は、借用返却管理装置計算機６０に記憶している実績を参照する。また、放射線管理区域内４０に入域することの可否も作業者３０自身が判断する。
【００４６】
図５に個人線量測定器２０のメモリ構成の一実施例を示す。図５（ａ）は警報設定値を設定する前のメモリ構成例を示す。
【００４７】
個人線量測定器番号は、個人線量測定器２０を一意に識別するためのコードである。本説明では個人線量測定器番号を０１２３としている。被ばく線量値は、個人線量測定器２０が借用返却管理装置５０から抜き取られてから現在までに計測した放射線量を示す。被ばく線量値は、前回の使用条件に依存するのでこの段階では不定である。作業時間は、個人線量測定器２０が借用返却管理装置５０から抜き取られてから現在までの経過時間を示す。作業時間は、前回の使用条件に依存するのでこの段階では不定である。被ばく線量値警報設定値は、ブザー２４を吹鳴状態とするためのしきい値であり、被ばく線量値が被ばく線量値警報設定値を超えたときブザー２４を吹鳴状態とする。被ばく線量値警報設定値は、前回の使用条件に依存するのでこの段階では不定である。作業時間警報設定値は、ブザー２４を吹鳴状態とするためのしきい値であり、作業時間が作業時間警報設定値を超えたときブザー２４を吹鳴状態とする。作業時間警報設定値は、前回の使用条件に依存するのでこの段階では不定である。
【００４８】
図５（ｂ）は警報設定値を設定した後の個人線量測定器２０のメモリ構成例を示す。図５（ａ）と比較して変化する部分についてのみ説明する。被ばく線量値警報設定値は、借用返却管理装置５０からの警報設定値書き換え要求に従い書き換えられる。本説明では被ばく線量値警報設定値を０．９９ｍＳｖとしている。作業時間警報設定値は、借用返却管理装置５０からの警報設定値書き換え要求に従い書き換えられる。本説明では作業時間警報設定値を０９時間５５分としている。
【００４９】
図６に個人線量測定器２０の警報設定値設定動作のフローチャートに示す。図６は、図５（ａ）の状態から図５（ｂ）の状態に移行する様子を示す。
【００５０】
オペレータは、借用返却管理装置計算機６０の操作部６３を操作することにより、個人線量測定器２０の警報設定値設定動作を開始する（ステップ１０００）。なお、本発明ではステップを「Ｓ」と標記する。
【００５１】
オペレータは、借用辺伽宇管理装置計算機６０の操作部６３を操作することにより、警報設定値を設定する個人線量測定器２０の個人線量測定器番号と被ばく線量値警報設定値と作業時間警報設定値を入力する（Ｓ１０１０）。
【００５２】
借用返却管理装置計算機６０は、通信部６２を介して借用返却管理装置５０に警報設定値書き換え要求とＳ１０１０において入力した個人線量測定器２０の個人線量測定器番号と被ばく線量値警報設定値と作業時間警報設定値を送信する（Ｓ１０２０）。
【００５３】
借用返却管理装置５０は、外部通信部５４より警報設定書き換え要求とＳ１０１０において入力した個人線量測定器２０の個人線量測定器番号と被ばく線量値警報設定値と作業時間警報設定値を受信する（Ｓ１０３０）。
【００５４】
借用返却管理装置５０は、警報設定値書き換え要求に従い、Ｓ１０１０において入力した個人線量計測器番号と一致する個人線量測定器２０を検索する（Ｓ１０４０）。
【００５５】
借用返却管理装置５０は、Ｓ１０１０において入力した個人線量測定器番号と一致する個人線量測定器２０が見つかった場合はＳ１０５０に移行する。見つからない場合はＳ１１１０に以降する（Ｓ１０５０）。
【００５６】
借用返却管理装置５０は、通信部５１より警報設定値書き換え要求とＳ１０１０において入力した被ばく線量値警報設定値と作業時間警報設定値を送信する（Ｓ１０６０）。
【００５７】
個人線量測定器２０は、外部通信部２６より警報設定値書き換え要求とＳ１０１０において入力した被ばく線量値警報設定値と作業時間警報設定値を受信する（Ｓ１０７０）。
【００５８】
個人線量測定器２０は、警報設定値書き換え要求に従い、被ばく線量値警報設定値と作業時間警報設定値にＳ１０１０において入力した被ばく線量値警報設定値と作業時間警報設定値を書き込む（Ｓ１０８０）。
【００５９】
個人線量測定器２０は、外部通信部２６より書き込み完了を送信する（Ｓ１０９０）。
【００６０】
借用返却管理装置５０は、通信部５１より書き込み完了を受信する（Ｓ１１００）。
【００６１】
借用返却管理装置５０は、書き込み完了を受信した場合は、書き込み結果に正常を設定し、個人線量測定器２０が見つからない場合は、書き込み結果に対象なしを設定する（Ｓ１１１０）。
【００６２】
借用返却管理装置５０は、書き込み完了を受信した場合は、書き込み結果に正常を設定し、外部通信部５４より書き込み結果を送信する（Ｓ１１２０）。
【００６３】
借用返却管理装置計算機６０は、通信部６２を介して借用返却管理装置５０から書き込み結果を受信する（Ｓ１１３０）。
【００６４】
借用返却管理装置計算機６０は、個人線量測定器２０の警報設定値設定動作を終了する（Ｓ１１４０）。
【００６５】
次に入域処理について説明する。
【００６６】
図５（ｃ）は入域処理を完了した直後の個人線量測定器２０のメモリ構成例を示す。図５（ｂ）と比較して変化する部分についてのみ説明する。被ばく線量値は、借用返却管理装置５０から抜き取られたことを検出してリセットされる。本説明では被ばく線量値を０．００ｍＳｖにリセットしている。作業時間は、借用返却管理装置５０から抜き取られたことを検出してリセットされる。本説明では作業時間を００時間００分にリセットしている。
【００６７】
図７に入域処理のフローチャートに示す。
【００６８】
個人線量測定器２０は、作業者３０が借用返却管理装置５０から個人線量測定器２０を抜き取ることにより、入域処理を開始する（Ｓ２０００）。
【００６９】
個人線量測定器２０は、被ばく線量値と作業時間をリセットする。個人線量測定器２０は、被ばく線量値を０．００ｍＳｖ、作業時間を００時間００分に設定する（Ｓ２０１０）。
【００７０】
個人線量測定器２０は、被ばく線量値と作業時間の計測を開始する（Ｓ２０３０）。個人線量測定器２０は、借用返却管理装置５０に差し込まれるまでＳ２０３０を継続する。
【００７１】
次に退域処理について説明する。
【００７２】
図５（ｄ）は退域処理を開始する直前の個人線量測定器２０のメモリ構成例を示す。図５（ｃ）と比較して変化する部分についてのみ説明する。被ばく線量値は、借用返却管理装置５０から抜き取られてから退域処理を開始する直前までの計測結果が記憶される。本説明では被ばく線量値を０．５５ｍＳｖとしている。作業時間は、借用返却管理装置５０から抜き取られてから退域処理を開始する直前までの計測結果が記憶される。本説明では作業時間を０５時間５５分としている。
【００７３】
図８に退域処理のフローチャートに示す。
【００７４】
個人線量測定器２０は、Ｓ２０３０を継続しており、作業者３０が個人線量測定器２０を借用返却管理装置５０に差し込むことで被ばく線量値と作業時間の計測を停止する（Ｓ２０４０）。
【００７５】
個人線量測定器２０は、個人線量測定器番号と被ばく線量値と作業時間と被ばく線量値警報設定値と作業時間警報設定値を外部通信部２６より借用返却管理装置５０に送信する（Ｓ２０５０）。
【００７６】
借用返却管理装置５０は、通信部５１より個人線量測定器番号と被ばく線量値と作業時間と被ばく線量値警報設定値と作業時間警報設定値を受信する（Ｓ２０６０）。
【００７７】
借用返却管理装置５０は、時計部５７より現在日付時刻を獲得する（Ｓ２０７０）。
【００７８】
借用返却管理装置５０は、現在日付時刻を退域日付時刻として確定する（Ｓ２０８０）。
【００７９】
借用返却管理装置５０は、退域日付時刻からＳ２０６０において受信した作業時間を引き算することにより入域日付時刻を確定する（Ｓ２０９０）。入域日付時刻は、例えば下記計算式により算出される。
【００８０】
退域日付時刻の時刻＞作業時間の場合、入域日付と退域日付は同一日付と判断する。入域時刻は、下記計算式により算出する。
【００８１】
入域時刻＝退域時刻−作業時間                      （式１）
退域日付時刻の時刻＜作業時間の場合、入域日付と退域日付は一日ずれていると判断し、入域日付を前日日付、退域日付を当日日付とする。入域時刻は、下記計算式により算出する。
【００８２】
入域時刻＝２４時間００分−（作業時間−退域時刻）  （式２）
退域日付時刻の時刻＝作業時刻の場合、入域日付と退域日付は同一日付と判断する。入域時刻は、００時間００分と算出する。
【００８３】
借用返却管理装置５０は、実績印字を出力する（Ｓ２１００）。
【００８４】
図９に実績印字の一実施例を示す。図９（ａ）は、印字直後の状態を示す。作業者コードは、作業者３０が自身の作業者コードを記入するための欄である。作業者氏名は、作業者３０が自身の氏名を記入するための欄である。個人線量測定器番号は、個人線量測定器を一意に識別する為のコードである。本発明では個人線量測定器番号を０１２３としている。入域日付時刻は、入域処理を行った日付と時刻である。退域日付時刻は、退域処理を行った日付と時刻である。本説明では入域日付時刻を２００２年０５月０５日１２時００分、退域日付時刻を２００２年０５月０５日１７時５５分としている。今回被ばく線量値は、今回の入域処理と退域処理の間に被った被ばく線量値である。今回作業時間は、今回の入域処理と退域処理の間の作業時間である。本説明では今回被ばく線量値を０．５５ｍＳｖ、今回作業時間を０５時間５５分としている。作業者３０は、実績印字に作業者コードと作業者氏名を記入し、借用返却管理装置計算機６０のオペレータに提出する。なお、実績印字を２枚出力して、１枚を提出用、１枚を作業者控えとしることもできる。図９（ｂ）については、後述する。
【００８５】
借用返却管理装置５０は、外部通信部５４より個人線量測定器番号と被ばく線量値と作業時間と被ばく線量値警報設定値と作業時間警報設定値と入域日付時刻と退域日付時刻を借用返却管理装置計算機６０に送信する（Ｓ２１１０）。
【００８６】
借用返却管理装置計算機６０は、通信部６２を介して個人線量測定器番号と被ばく線量値と作業時間と被ばく線量値警報設定値と作業時間警報設定値と入域日付時刻と退域日付時刻を受信する（Ｓ２１２０）。
【００８７】
借用返却管理装置計算機６０は、個人線量測定器番号と被ばく線量値と作業時間と被ばく線量値警報設定値と作業時間警報設定値と入域日付時刻と退域日付時刻を入退域データとしてメモリ６４に記憶する（Ｓ２１３０）。
【００８８】
図１０に入退域データの一実施例を示す。図１０（ａ）は、作業者コードを入力する前の状態を示す。作業者コードは、借用返却管理装置研鑽器６０のオペレータが当該作業者３０の作業者コードを入力するための欄である。借用返却管理装置計算機６０のオペレータは、実績印字に記入された作業者コードを入力する。個人線量測定器番号は、個人線量測定器を一意に識別する為のコードである。入域日付時刻は、入域処理を行った日付と時刻である。退域日付時刻は、退域処理を行った日付と時刻である。今回被ばく線量値は、今回の入域処理と退域処理の間に被った被ばく線量値である。今回作業時間は、今回の入域処理と退域処理の間の作業時間である。
【００８９】
借用返却管理装置計算機６０は、入域処理及び退域処理を終了する（Ｓ２１４０）。
【００９０】
借用返却管理装置計算機６０のオペレータは、作業者３０から実績印字を改修し、実績印字に記入された作業者コードを入退域データの作業者コードに入力する。図９（ｂ）は、実績印字に作業者コードの作業者氏名を記入された状態を示す。本説明では作業者コードを０１２３４５、作業者氏名を電力太郎としている。図１０（ｂ）は、作業者コードを入力した後の状態を示す。
【００９１】
【発明の効果】
以上説明したように、本発明によれば、入域処理においては、作業者３０が実施すべき手順を個人線量測定器の抜き取りだけにすることで、入域処理に要する時間を短縮する事ができる。
また、退域処理においては、個人線量測定器に記憶されている作業時間の計測結果と借用返却管理装置の現在日付時刻から入域日付時刻を算出することで欠落のない入退域データを生成することができる。
【図面の簡単な説明】
【図１】本発明の線量管理システムの一構成例を示すブロック図
【図２】本発明の個人線量測定器の一構成例を示すブロック図
【図３】本発明の借用返却管理装置の一構成例を示すブロック図
【図４】本発明の借用返却管理装置計算機の一構成例を示すブロック図
【図５】本発明の個人線量測定器のメモリの一構成例を示す図
【図６】本発明の線量管理システムの個人線量測定器の警報設定値設定動作のフローチャート
【図７】本発明の線量管理システムの入域処理のフローチャート
【図８】本発明の線量管理システムの退域処理のフローチャート
【図９】本発明の線量管理システムの実績印字の一実施例を示す図
【図１０】本発明の借用返却管理装置計算機の入退域データの一実施例を示す図
【図１１】従来の線量管理システムの一構成例を示すブロック図
【図１２】従来の線量管理システムの入退域管理装置のブロック図
【図１３】従来の線量管理システムの入退域管理装置の実績印字の一実施例を示す図
【符号の説明】
１０  線量管理システム
２０  個人線量測定器
２１  個人線量測定器２０のＣＰＵ
２２  個人線量測定器２０の放射線計測部
２３  個人線量測定器２０の表示部
２４  個人線量測定器２０のブザー
２５  個人線量測定器２０の操作部
２６  個人線量測定器２０の外部通信部
２７  個人線量測定器２０のメモリ
２８  個人線量測定器２０の時計部
２９  個人線量測定器２０の充電部
３０  作業者
４０  放射線管理区域
５０  借用返却管理装置
５１  借用返却管理装置５０の通信部
５２  借用返却管理装置５０の抜取差込検出部
５３  借用返却管理装置５０のメモリ
５４  借用返却管理装置５０の外部通信部
５５  借用返却管理装置５０の印字部
５６  借用返却管理装置５０の表示部
５７  借用返却管理装置５０の時計部
５８  借用返却管理装置５０のＣＰＵ
６０  借用返却管理装置計算機
６１  借用返却管理装置計算機６０の表示部
６２  借用返却管理装置計算機６０の通信部
６３  借用返却管理装置計算機６０の操作部
６４  借用返却管理装置計算機６０のメモリ
６５  借用返却管理装置計算機６０のＣＰＵ
１０１  従来の線量管理システム
１０２  従来の線量管理システムの放射線管理用計算機
１０３  従来の線量管理システムの作業者
１０４  従来の線量管理システムの放射線管理区域
１０５  従来の線量管理システムの入退域管理装置
１０５ａ  従来の線量管理システムの入退域管理装置の読込書込部
１０５ｂ  従来の線量管理システムの入退域管理装置の表示部
１０５ｃ  従来の線量管理システムの入退域管理装置のＩＤカード読取部
１０５ｄ  従来の線量管理システムの入退域管理装置の操作部
１０５ｅ  従来の線量管理システムの入退域管理装置のＣＰＵ
１０５ｆ  従来の線量管理システムの入退域管理装置のメモリ
１０５ｇ  従来の線量管理システムの入退域管理装置の外部通信部
１０５ｈ  従来の線量管理システムの入退域管理装置の印字部
１０６  従来の線量管理システムの個人線量測定器
１０７  従来の線量管理システムの借用返却管理装置
１０８  従来の線量管理システムのＩＤカード
【図１】
2004347444.tif 000003
【図２】
2004347444.tif 000004
【図３】
2004347444.tif 000005
【図４】
2004347444.tif 000006
【図５】
2004347444.tif 000007
【図６】
2004347444.tif 000008
【図７】
2004347444.tif 000009
【図８】
2004347444.tif 000010
【図９】
2004347444.tif 000011
【図１０】
2004347444.tif 000012
【図１１】
2004347444.tif 000013
【図１２】
2004347444.tif 000014
【図１３】
2004347444.tif 000015